(57)【要約】      （修正有）【課題】回転駆動装置や回転シャフトに無理な荷重が掛からずスムースに上下作動を行え、併せて透明シートのスムースな巻き上げ、巻き戻しが出来るようにしたビニールハウスの換気装置の提供。【解決手段】ビニールハウスＡに近接して起立したガイドロッド１と、ガイドロッド１に上下移動自在に取り付けた回転駆動装置２と、当該装置２に一端を回転自在に結合しながらビニールハウスＡに対向して水平に配置したシャフト３と、シャフト３に一端を結合し他端をビニールハウスＡに結合した透明シート４とを備え、当該装置２でシャフト３を回転したとき当該シャフト３に透明シート４が巻かれ又は巻き戻されてビニールハウスＡの開口部Ｂを開閉する換気装置において、上記シャフト３に鼓形状のボビン５を結合し、このボビン５の外周に上記透明シート４と並列に配置したワイヤ６を巻きつけ、更に上記ワイヤ６の一端をビニールハウスＡの上部と下部に固定する。【選択図】図１
2009273389.tif 000002
【特許請求の範囲】
【請求項１】
ビニールハウスＡに近接して起立したガイドロッド１と、ガイドロッド１に上下移動自在に取り付けた回転駆動装置２と、回転駆動装置２に一端を回転自在に結合しながらビニールハウスの側面又は屋根面に対向して水平に配置したシャフト３と、シャフト３に一端を結合し他端をビニールハウスＡの上部又下部に結合した透明シート４とを備え、回転駆動装置２でシャフト３を時計方向又は反時計方向に回転したとき当該シャフト３に透明シート４が巻かれ又は巻き戻されてビニールハウスの側面又は屋根面の開口部Ｂを開閉するビニールハウスの換気装置において、上記シャフト３に鼓形状のボビン５を結合し、このボビン５の外周に上記透明シート４と並列に配置したワイヤ６を巻きつけ、更に上記ワイヤ６の一端をビニールハウスＡの上部と下部に固定したことを特徴とするビニールハウスの換気装置。
【請求項２】
ワイヤ６の端部にターンバックル等からなるテンション調整部材７を結合してワイヤ６の張力を調整するようにしている請求項１に記載のビニールハウスの換気装置。
【請求項３】
ボビン５が筒状のボビン本体７と、ボビン本体７の両側に一体に形成したフランジ７ａ、７ｂと、一方のフランジ７ａの端部に一体に連設した筒状の取付部８と、上記取付部８に形成した取付孔に挿入したボルト又はピンからなる止め具９とからなり、ボビン本体７をシャフト３に挿入後上記止め具９の先端をシャフト３に固定してボビン本体７をシャフト３に固定している請求項１又は２に記載のビニールハウスの換気装置。
【請求項４】
ボビン本体の外周にリブ１０、突起１１又は摩擦材１２からなるワイヤ６のすべり止め機構を施している請求項３に記載のビニールハウスの換気装置。
【発明の詳細な説明】
【技術分野】
【０００１】
本発明は、ビニールハウスの側面，屋根面又は妻面に設けられてハウス内の換気を行なうのに適するビニールハウスのシートの展張装置に関する。
【背景技術】
【０００２】
一般にビニールハウスではハウス内の温度、湿度を調整して植物の適正な育成に対応させるためにビニールハウスの側面又は屋根面に換気装置を設けているのが普通である。
【０００３】
ビニールハウスの側面における換気装置としては、例えば、ビニールハウスの上部から垂設した透明シートの下端を回転シャフトに巻き付け、地上近辺から上方に向けてシートを上方に向けて巻き上げることによりビニールハウスの側面に形成した開口部を開放させるものである。
【０００４】
回転シャフトは、ビニールハウスの側に起立するガイドロッドに上下移動自在に取り付けた手動又は電動の回転駆動装置を介して回転駆動し、シートを回転シャフトに巻き上げることにより開口部を開き、巻き戻すことにより開口部を閉じるものである。
【０００５】
しかし、上記の換気装置は回転シャフトを回転するだけで自動的にシートが巻き付けられ又は巻き戻されることにより開口部の開口が自動的に行なえる反面、次のような不具合がある。
【０００６】
第１に、回転駆動装置はビニールハウスから離れたガイドロッドに取り付けられているため、回転駆動装置は自重で下降する傾向にあり、回転駆動装置の重みが透明シートの負荷され、当該シートの伸びが発生しその劣化が促進される。
【０００７】
第２に、シートの伸びに伴い、回転駆動装置と回転シャフトとが同期して平行に移動できなくなり、その結果回転駆動装置がガイドパイプに食い付き、回転シャフトの変形も発生する。
【０００８】
第３に、回転シャフンは普通側面，屋根面等に沿って水平に設けているため、大型ハウスの場合、回転シャフトが長くなり、その結果回転シャフトがシートの重みで歪み、均一に回転シャフトを回転できず、大きな回転操作が必要となる。無理に歪んだ回転シャフトを回転させようとするとシートが均一に巻き付かず皴が発生し、又回転シャフトの歪みに起因してハウスの骨組が変形するおそれがある。
【０００９】
そこで、上記の不具合を解消するため、例えば、特許文献１に示すように、回転駆動装置の重みを支え、回転シャフトに対する荷重を担持してその歪みの発生を防止し、スムースなシートの開閉が可能な換気装置が開発されている。
【００１０】
この換気装置は、図６に示すように、ビニールハウスＡに近接して起立したガイドロッド６１と、ガイドロッド６１に上下移動自在に取り付けた手動又は電動の回転駆動装置６２と、回転駆動装置６２に一端を回転自在に結合しながらビニールハウスＡの側面面に対向して水平に配置した回転シャフト６３と、シャフト６３に一端を結合し他端をビニールハウスＡの上部に結合した透明シート６４と、同じくシャフト６３一端を結合し他端をビニールハウスＡの上部に結合したベルト６５とを備え、回転駆動装置６２でシャフト６３を時計方向又は反時計方向に回転したとき当該シャフト６３に透明シート６４とベルト６５が巻かれ又は巻き戻されてビニールハウスＡの側面面の開口部を開閉するものである。  
【特許文献１】特開２００２−２７８４３号公報（請求項１、図面参照）
【発明の開示】
【発明が解決しようとする課題】
【００１１】
しかしながら、上記の改良された換気装置は構造上の欠陥があるわけではないが、次のような不具合の改善が要望されている。
【００１２】
第１に、長期間の使用中にベルト６５が伸びたりして劣化が発生すると、このベルト６５が回転駆動装置６２や回転シャフト６３からの重量を支えられなくなり、その結果上記のような不具合が再び発生する恐れがある。
【００１３】
第２に、上記のようにベルト６５が劣化すると、これを交換する必要があるが、その交換作業が面倒で、困難である。
【００１４】
第３に、シート６４とベルト６５とは普通ベルト６５の方の厚みが厚くなっており、これらを図７の中立位置Ｉから回転シャフト６３を巻き上げ又は巻き戻した位置Ｈ、Ｊではシャフト６３に対する両者の巻径が異なり、回転駆動装置６２とシャフト６３に無理荷重が掛かり、スムースな上下作動が阻止され、これらの破損の原因となる。
【００１５】
そこで、本発明の目的は、回転駆動装置や回転シャフトに無理な荷重が掛かるのを防止してスムースに上下作動を行えるようにし、併せて透明シートのスムースな巻き上げ、巻き戻しが出来るようにしたビニールハウスの換気装置を提供することである。
【課題を解決するための手段】
【００１６】
上記の目的を達成するため、本発明の手段は、ビニールハウスＡに近接して起立したガイドロッド１と、ガイドロッド１に上下移動自在に取り付けた回転駆動装置２と、回転駆動装置２に一端を回転自在に結合しながらビニールハウスの側面又は屋根面に対向して水平に配置したシャフト３と、シャフト３に一端を結合し他端をビニールハウスＡの上部又下部に結合した透明シート４とを備え、回転駆動装置２でシャフト３を時計方向又は反時計方向に回転したとき当該シャフト３に透明シート４が巻かれ又は巻き戻されてビニールハウスの側面又は屋根面の開口部Ｂを開閉するビニールハウスの換気装置において、上記シャフト３に鼓形状のボビン５を結合し、このボビン５の外周に上記透明シート４と並列に配置したワイヤ６を巻きつけ、更に上記ワイヤ６の一端をビニールハウスＡの上部と下部に固定したことを特徴とする。
【００１７】
この場合、ワイヤ６の端部にターンバックル等からなるテンション調整部材７を結合してワイヤ６の張力を調整するようにしても良い。
【００１８】
同じく、ボビン５が筒状のボビン本体７と、ボビン本体７の両側に一体に形成したフランジ７ａ、７ｂと、一方のフランジ７ａの端部に一体に連設した筒状の取付部８と、上記取付部８に形成した取付孔に挿入したボルト又はピンからなる止め具９とからなり、ボビン本体７をシャフト３に挿入後上記止め具９の先端をシャフト３に固定してボビン本体７をシャフト３に固定しているのが好ましい。
【００１９】
同じく、ボビン本体の外周にリブ１０、突起１１又は摩擦材１２からなるワイヤ６のすべり止め機構を施しているのが好ましい。
【発明の効果】
【００２０】
各請求の発明によれば、シャフト３に鼓形状のボビン５を結合し、このボビン５の外周に上記透明シート４と並列に配置したワイヤ６を巻きつけ、更に上記ワイヤ６の一端をビニールハウスＡの上部と下部に固定したので、ボビン５に巻かれたワイヤ６がボビン５を介してシャフト３と回転駆動装置２の荷重を担持し、これらのシャフト３と回転駆動装置２を同期して上下動でき且つ両者の傾き、歪み、変形を防止できる。
【００２１】
同じく、ワイヤ６の上下端が固定されているため、ボビン５に対するワイヤの巻き数はどの位置でも一定であり、シート４がシャフト３に多重に巻きつき又は巻き戻されてもその巻き付き位置に対応してボビン５が上下動し、シャフトが湾曲したり、傾斜したりしない。
【００２２】
その結果、シャフト３や回転駆動装置２に無理な荷重を掛けず、シート４をスムースに巻き付け、巻き戻しできる。
【発明を実施するための最良の形態】
【００２３】
以下、本発明の実施の形態を図に基づいて説明する。
【００２４】
本発明のビニールハウスの換気装置は、図１、図６に示すように、  ビニールハウスＡに近接して起立したガイドロッド１と、ガイドロッド１に上下移動自在に取り付けた回転駆動装置２と、回転駆動装置２に一端を回転自在に結合しながらビニールハウスの側面又は屋根面に対向して水平に配置したシャフト３と、シャフト３に一端を結合し他端をビニールハウスＡの上部又下部に結合した透明シート４とを備え、回転駆動装置２でシャフト３を時計方向又は反時計方向に回転したとき当該シャフト３に透明シート４が巻かれ又は巻き戻されてビニールハウスの側面又は屋根面の開口部Ｂを開閉するものである。
【００２５】
そして、本発明の特徴は、シャフト３に鼓形状のボビン５を結合し、このボビン５の外周に上記透明シート４と並列に配置したワイヤ６を巻きつけ、更に上記ワイヤ６の一端をビニールハウスＡの上部と下部に設けた取付具１３，１４に固定したことでる。
【００２６】
この場合、ワイヤ６は単独で取付具１３，１４に結合しても良いが、図１、図２に示すように、ワイヤ６の端部にターンバックル等からなるテンション調整部材７を結合してワイヤ６の張力を調整するようにしているのが好ましい。
【００２７】
ワイヤ６はボビン５を使用することなく、直接シャフト３に巻きつけても使用可能であるが、ワイヤ６の横方向へのズレを防止する為、実施の形態に示すように、鼓状のボビン５を介してワイヤ６を巻きつけたほうが良い。
【００２８】
図３に示すように、ボビン５は筒状のボビン本体７と、ボビン本体７の両側に一体に形成したフランジ７ａ、７ｂと、一方のフランジ７ａの端部に一体に連設した筒状の取付部８と、上記取付部８に形成した取付孔に挿入したボルト又はピンからなる止め具９とからなっている。
【００２９】
そして、ボビン本体７をシャフト３に挿入後上記止め具９の先端をシャフト３に圧接しながら固定してボビン本体７をシャフト３に固定している。止め具９はシュフト３を貫通したり、ネジ結合したり、溶接して固定しても良い。
【００３０】
従って、ボビン５は止め具９で固定されて横方向のズレが防止されて、ワイヤ６を常に同じ位置に配置でき、シート４との同期作動を維持できる。
【００３１】
ボビン５はシャフト３に一体加工して設けても使用可能である。
【００３２】
図４、図５の他の実施の形態に示すように、ボビン本体７の外周にリブ１０、突起１１又は突起状の摩擦材１２からなるワイヤ６のすべり止め機構を施して良いし、ゴム等からなる摩擦材を巻き付けたり、吹き付けても良い。
【００３３】
この場合は、ワイヤ６に対する摩擦が増加し、ボビン５とシャフト３が空回りするのを防止できる。
【図面の簡単な説明】
【００３４】
【図１】本発明の実施の一例に係るビニールハウスの換気装置の一部切欠き斜視図である。
【図２】図１の拡大側面図である。
【図３】シャフトとボビン部分の拡大斜視図である。
【図４】他の実施の形態に係るボビンの斜視図である。
【図５】更に他の実施の形態に係るボビンの斜視図である。
【図６】換気装置を取り付けたビニールハウスの略示斜視図である。
【図７】従来の換気装置の作動状態を示す拡大正面図である。
【符号の説明】
【００３５】
Ａ      ビニールハウス
１      ガイドロッド
２      回転駆動装置
３      シャフト
４      透明シート
５      ボビン
６      ワイヤ
７ａ、７ｂ  フランジ
８      取付部
９      止め具
１０    リブ
１１    突起
１２    摩擦材
【図１】
2009273389.tif 000003
【図２】
2009273389.tif 000004
【図３】
2009273389.tif 000005
【図４】
2009273389.tif 000006
【図５】
2009273389.tif 000007
【図６】
2009273389.tif 000008
【図７】
2009273389.tif 000009